(57)【要約】【課題】断面が中空のループ状の立体ギャザーを備えた吸収性物品において、立体ギャザーの装着感及びクッション感を損なうことなく、体液の漏れを防止する。【解決手段】透液性表面シート３の肌当接面側の両側部にそれぞれ、長手方向に沿って肌側に突出する立体ギャザー１０が形成されている。前記立体ギャザー１０は、前記透液性表面シート３の肌当接面に接合され、断面が中空のループ状に形成された基端側ループ部１１と、前記基端側ループ部１１に接合され、断面が中空のループ状に形成された自由端側ループ部１２とを備える。２段式のループ状立体ギャザーにより、前記基端側ループ部１１が自由端側ループ部１２を押し上げるように作用し、立体ギャザー１０に高さを持たせることができる。【選択図】図２
2019024843.tif 000002
【特許請求の範囲】
【請求項１】
透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空のループ状に形成された基端側ループ部と、前記基端側ループ部に接合され、断面が中空のループ状に形成された自由端側ループ部とを備えていることを特徴とする吸収性物品。
【請求項２】
前記基端側ループ部と自由端側ループ部とは、吸収性物品の厚み方向に隣接して配置されている請求項１記載の吸収性物品。
【請求項３】
前記基端側ループ部と自由端側ループ部とは、吸収性物品の幅方向に隣接して配置されている請求項１記載の吸収性物品。
【請求項４】
前記基端側ループ部と自由端側ループ部との間に、前記立体ギャザーの吸収性物品中央側の外形線又は肌側の外形線が括れた括れ部が形成されている請求項１〜３いずれかに記載の吸収性物品。
【請求項５】
前記基端側ループ部及び自由端側ループ部は、それぞれ別体の不織布によって構成されている請求項１〜４いずれかに記載の吸収性物品。
【請求項６】
前記基端側ループ部及び自由端側ループ部は、１枚の不織布によって構成されている請求項１〜４いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは肌当接面側の両側部にそれぞれ長手方向に沿って断面が中空のループ状立体ギャザーが形成された吸収性物品に関する。
【背景技術】
【０００２】
従来より、上記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在するとともに、肌当接面側の両側部にそれぞれ長手方向に沿って配設されたギャザー不織布により、肌側に突出する左右一対の立体ギャザーを形成したものが知られている。
【０００３】
就寝時などにおける使用に適した夜用の生理用ナプキンでは、漏れを防止するため、前記立体ギャザーが種々の形態で形成されている。例えば、肌側への起立高さを高くするため、断面Ｚ状やΣ状の２つ折りまたは３つ折りに折り畳んで形成したものがある。しかし、折り数を増やして高さを高くすればするほど、装着時に立体ギャザーが倒れ込みやすく、倒れた部分から体液が漏れやすいとともに、倒れたギャザー部分が違和感の原因となっていた。
【０００４】
また、装着時の違和感を軽減し、クッション性を持たせることなどを目的として、立体ギャザーの断面を中空のループ状に形成したものも開発されている（下記特許文献１、２など）。
【先行技術文献】
【特許文献】
【０００５】
【特許文献１】特開２０１０−１１０５３２号公報
【特許文献２】特開２０１１−３０８０１号公報
【発明の概要】
【発明が解決しようとする課題】
【０００６】
しかしながら、断面が中空のループ状の立体ギャザーでは、高さを高くとることができないため、肌面との密着性が低下し、漏れが生じやすい。
【０００７】
また、ループ状の立体ギャザーは、肌当接面が平面状に形成された２つ折りまたは３つ折りのものに比べて、肌面との接触面積が小さく、この点においても漏れが生じやすい構造であった。
【０００８】
そこで本発明の主たる課題は、断面が中空のループ状の立体ギャザーを備えた吸収性物品において、立体ギャザーの装着感及びクッション感を損なうことなく、体液の漏れを防止した吸収性物品を提供することにある。
【課題を解決するための手段】
【０００９】
上記課題を解決するために請求項１に係る本発明として、透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空のループ状に形成された基端側ループ部と、前記基端側ループ部に接合され、断面が中空のループ状に形成された自由端側ループ部とを備えていることを特徴とする吸収性物品が提供される。
【００１０】
上記請求項１記載の発明では、前記基端側ループ部と自由端側ループ部とからなる２段式のループ状立体ギャザーを備えているため、前記基端側ループ部が自由端側ループ部を押し上げるように作用し、立体ギャザーに高さを持たせることができるようになり、ループ状立体ギャザー特有の装着感及びクッション感を損なうことなく、体液の漏れが防止できるようになる。
【００１１】
請求項２に係る本発明として、前記基端側ループ部と自由端側ループ部とは、吸収性物品の厚み方向に隣接して配置されている請求項１記載の吸収性物品が提供される。
【００１２】
上記請求項２記載の発明は、前記立体ギャザーの第１の実施形態例であり、前記基端側ループ部と自由端側ループ部とを吸収性物品の厚み方向に隣接して配置したものである。これによって、吸収性物品の装着時には、主に前記自由端側ループ部が肌との接触面を構成するようになる。このため、立体ギャザーの肌側への突出高さを高くすることができ、着用者の鼠蹊部へのフィット性が向上できる。
【００１３】
請求項３に係る本発明として、前記基端側ループ部と自由端側ループ部とは、吸収性物品の幅方向に隣接して配置されている請求項１記載の吸収性物品が提供される。
【００１４】
上記請求項３記載の発明は、前記立体ギャザーの第２の実施形態例であり、前記基端側ループ部と自由端側ループ部とを吸収性物品の幅方向に隣接して配置したものである。これによって、吸収性物品の装着時には、前記自由端側ループ部及び基端側ループ部が両方とも肌との接触面を構成するようになる。このため、幅方向に連なる２段のループ状立体ギャザーによって体液が塞き止められ、横漏れが確実に防止できるようになる。特に、自由端側ループ部は、透液性表面シートに接合されずに、基端側ループ部に接合されているため、肌側への可動範囲が大きくなり、肌面に確実にフィットできるようになる。
【００１５】
請求項４に係る本発明として、前記基端側ループ部と自由端側ループ部との間に、前記立体ギャザーの吸収性物品中央側の外形線又は肌側の外形線が括れた括れ部が形成されている請求項１〜３いずれかに記載の吸収性物品が提供される。
【００１６】
上記請求項４記載の発明では、前記基端側ループ部と自由端側ループ部との間に、前記立体ギャザーの吸収性物品中央側の外形線又は肌側の外形線が括れた括れ部が形成されているため、この括れ部が幅方向中央側から流れてきたドロッとした塊状の経血などの体液が入り込むポケットとして作用することによって、立体ギャザーより外側に体液が流れるのを塞き止めることができ、体液の横漏れがより確実に防止できるようになる。なお、上記第１の実施形態例に係る基端側ループ部と自由端側ループ部とが吸収性物品の厚み方向に隣接して配置された立体ギャザーでは、前記立体ギャザーの吸収性物品中央側の外形線が括れた括れ部が形成され、上記第２の実施形態例に係る基端側ループ部と自由端側ループ部とが吸収性物品の幅方向に隣接して配置された立体ギャザーでは、前記立体ギャザーの肌側の外形線が括れた括れ部が形成されている。
【００１７】
請求項５に係る本発明として、前記基端側ループ部及び自由端側ループ部は、それぞれ別体の不織布によって構成されている請求項１〜４いずれかに記載の吸収性物品が提供される。
【００１８】
上記請求項５記載の発明では、前記基端側ループ部及び自由端側ループ部を、それぞれ別体の不織布で構成することによって、基端側ループ部に対する自由端側ループ部の接合位置を任意に設定することができるとともに、異なる性質の不織布を用いることによって基端側ループ部と自由端側ループ部とで異なる機能を付加することが可能となる。
【００１９】
請求項６に係る本発明として、前記基端側ループ部及び自由端側ループ部は、１枚の不織布によって構成されている請求項１〜４いずれかに記載の吸収性物品が提供される。
【００２０】
上記請求項６記載の発明では、前記基端側ループ部及び自由端側ループ部を、１枚の不織布で構成することによって、部品点数を少なくでき、製造コストを抑えることができるとともに、基端側ループ部に隣接して自由端側ループ部を形成しやすくなる。
【発明の効果】
【００２１】
以上詳説のとおり本発明によれば、断面が中空のループ状の立体ギャザーを備えた吸収性物品において、立体ギャザーの装着感及びクッション感を損なうことなく、体液の漏れが防止できるようになる。
【図面の簡単な説明】
【００２２】
【図１】本発明に係る生理用ナプキン１の一部破断展開図である。
【図２】図１のII−II線矢視図である。
【図３】図１のIII−III線矢視図である。
【図４】立体ギャザー１０の拡大断面図である。
【図５】第２形態例に係る生理用ナプキン１の横断面図（図１のII−II線に対応する位置の横断面図）である。
【図６】第３形態例に係る生理用ナプキン１の横断面図（図１のII−II線に対応する位置の横断面図）である。
【図７】第３形態例に係る立体ギャザー１０Ｂを折り畳んだ状態の拡大断面図である。
【発明を実施するための形態】
【００２３】
以下、本発明の実施の形態について図面を参照しながら詳述する。
【００２４】
＜第１形態例＞
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７、８とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７、８とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２５】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２６】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２７】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜６５０ｇ／ｍ２、好ましくは３００〜４００ｇ／ｍ２とするのがよい。
【００２８】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２９】
前記吸収体４の肌側面には、肌側に増厚された吸収体の中高部６を形成するのが好ましい。前記吸収体４及び中高部６は、それぞれ別個に製造した後、組立工程で積層してもよいし、吸収体を立体的に積繊することによって一体的に形成してもよい。また、吸収体４の上段に中高部６を積繊する二段積繊構造としてもよい。
【００３０】
前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５ｍｍ、好ましくは５〜１８ｍｍとするのがよい。また、前記中高部６が配置された部分の中高部６と吸収体４との合計目付は、４００〜９００ｇ／ｍ２、特に６００〜８００ｇ／ｍ２とするのがよい。
【００３１】
前記中高部６は、着用者の体液排出部Ｈを含む領域、具体的には体液排出部Ｈより前側及び後側に若干長い領域に形成されている。前記中高部６は、ナプキン前後方向に長い縦長に形成され、両側縁がナプキン長手方向に延びる直線で形成されている。
【００３２】
前記中高部６は、少なくともパルプ繊維と合成繊維とを含むとともに、前記パルプ繊維：合成繊維の比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３３】
前記中高部６としては、着用者の体液排出部Ｈを含む領域から臀部溝を含む領域にかけて設けられた細長状のものを用いることができる。
【００３４】
また、少なくとも体液排出部Ｈに対応する領域の両側に、生理用ナプキン１の長手方向に沿って、透液性表面シート３の肌当接面側からの圧搾により、透液性表面シート３から吸収体４にかけて一体的に窪ませたエンボス溝９を任意のパターンで形成することができる。
【００３５】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別の２層に積層されたサイド不織布７、８、具体的には経血やおりもの等が浸透するのを防止する、あるいは肌触り感を高めるなどの目的に応じて、適宜の撥水処理または親水処理を施した不織布素材を用いて構成されたサイド不織布７、８が配設されている。かかるサイド不織布７、８としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３６】
前記サイド不織布７、８は、図２及び図３に示されるように、幅方向中間部より外側部分を所定の内側位置から不透液性裏面シート２の外縁までの範囲に亘ってホットメルトなどの接着剤によって接着し、これら前記サイド不織布７、８と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３７】
一方、前記サイド不織布７、８の内方側部分によって、前記透液性表面シート３の肌当接面側の両側部にそれぞれ、長手方向に沿って肌側に突出する立体ギャザー１０が左右対で形成されている。
【００３８】
〔立体ギャザー１０〕
以下、前記立体ギャザー１０について詳細に説明する。前記立体ギャザー１０は、図２及び図４に示されるように、前記透液性表面シート３の肌当接面に接合され、断面が中空のループ状に形成された基端側ループ部１１と、前記基端側ループ部１１に接合され、断面が中空のループ状に形成された自由端側ループ部１２とを備えている。
【００３９】
前記基端側ループ部１１は、透液性表面シート３から肌側に突出する立体ギャザー１０の基端側部分を構成するものであり、２層に積層されたサイド不織布７，８のうち、下層側のサイド不織布７の内方側部分が二重に折り返されるとともに、この二重シート内部の適宜の位置に両端または長手方向の適宜の位置が固定された１又は複数本の、図示例では４本の糸状弾性伸縮部材１３、１３…が配設され、かつ前記二重シート部分が非肌側方向に１回巻回され、この巻回された端部が内面に接合されることにより、断面が中空の略円形からなるループ状に形成されている。このループ部は、生理用ナプキン１の前後端部では、図３に示されるように、２つ折りまたは３つ折りに折り畳まれた状態で吸収体４側に接着されている。これによって、前記糸状弾性伸縮部材１３…の収縮力により、生理用ナプキン１の長手方向中間部における所定の区間において、内部が中空のループ状に起立している。
【００４０】
前記自由端側ループ部１２は、肌側に突出する立体ギャザー１０の自由端側部分を構成するものであり、上記基端側ループ部１１と同様に、２層に積層されたサイド不織布７，８のうち、上層側のサイド不織布８の内方側部分が二重に折り返されるとともに、この二重シート内部の適宜の位置に両端または長手方向の適宜の位置が固定された１又は複数本の、図示例では４本の糸状弾性伸縮部材１４、１４…が配設され、かつ前記二重シート部分が肌側方向に１回巻回され、この巻回された二重シート端部が内面側に接合されることにより、断面が中空の略円形からなるループ状に形成されている。このループ部は、生理用ナプキン１の前後端部では、図３に示されるように、２つ折りまたは３つ折りに折り畳まれた状態で吸収体４側に接着されている。これによって、前記糸状弾性伸縮部材１４…の収縮力により、生理用ナプキン１の長手方向中間部における所定の区間において、内部が中空のループ状に起立している。
【００４１】
前記立体ギャザー１０が基端側ループ部１１と自由端側ループ部１２とからなる２段式のループ状立体ギャザーで構成されることによって、基端側ループ部１１が自由端側ループ部１２を非肌側から肌側に押し上げるように作用し、立体ギャザー１０に高さを持たせることができようになる。このため、ループ状立体ギャザー特有の装着感及びクッション感を損なうことなく、体液の漏れが防止できるようになる。
【００４２】
前記基端側ループ部１１は、接合部１５によって前記透液性表面シート３の肌当接面（外面）に接合されている。前記接合部１５は、前記立体ギャザー１０が肌側に突出する生理用ナプキン１の長手方向の区間において、生理用ナプキン１の長手方向に沿って所定幅を有する直線的な帯状又は線状に形成されている。前記接合部１５の幅Ｃは、基端側ループ部１１の幅Ａに対する割合Ｃ／Ａが１０〜５０％、特に１５〜３０％であるのが好ましい。前記接合部１５の幅Ｃが大き過ぎると、基端側ループ部１１の肌側への突出高さが小さくなるとともに、基端側ループ部１１のクッション性が低下する。一方、前記接合部１５の幅Ｃが小さすぎると、基端側ループ部１１が不安定となり、幅方向に倒れやすくなる。
【００４３】
前記基端側ループ部１１は、図２に示されるように、前記透液性表面シート３と不透液性裏面シート２との間に吸収体４が介在する本体部分の肌当接面側に配置するのが好ましい。これにより、立体ギャザー１０の肌側への突出高さが高くなり、立体ギャザー１０の先端と肌との密着性が向上できる。また、図示しないが、前記立体ギャザー１０は、前記本体部分より幅方向外側の透液性表面シート３の肌当接面側に配置してもよい。この場合、吸収体４の厚み分だけ肌側への突出高さは低くなるが、吸収体４が体液を吸収できる面積を広くとることができ、吸収体４を有効活用できるようになる。
【００４４】
前記自由端側ループ部１２は、接合部１６によって基端側ループ部１１に接合されている。前記接合部１６は、前記立体ギャザー１０が肌側に突出する生理用ナプキン１の長手方向の区間において、生理用ナプキン１の長手方向に沿う所定幅を有する直線的な帯状又は線状に形成されている。前記接合部１６の幅Ｄは、自由端側ループ部１２の幅Ｂに対する割合Ｄ／Ｂが１０〜５０％、特に１５〜３０％であるのが好ましい。前記接合部１６の幅Ｄが大き過ぎると、後段で詳述する基端側ループ部１１と自由端側ループ部１２との間に形成される括れ部１７の深さが小さくなり、その効果が十分に発揮できなくなる。また、前記接合部１６の幅Ｄが小さすぎると、自由端側ループ部１２が不安定となり、幅方向に倒れやすくなる。
【００４５】
前記接合部１６は、前記基端側ループ部１１を構成するサイド不織布７が二重に折り返された二重シート部と、前記自由端側ループ部１２を構成するサイド不織布８が二重に折り返された二重シート部とが対向する位置に形成するのがよい。より好ましくは、前記基端側ループ部１１を構成するサイド不織布７の二重シート部と、前記自由端側ループ部１２を構成するサイド不織布８の二重シート部とがそれぞれ１回巻回されて二重シート端部が内面に接合された接合部同士が対向する位置に形成するのが好ましい。これにより、基端側ループ部１１と自由端側ループ部１２との間で反発性が高まり、立体ギャザー１０全体としてのクッション性が向上できる。
【００４６】
本第１形態例に係る立体ギャザー１０において、前記基端側ループ部１１と自由端側ループ部１２とは、生理用ナプキン１の厚み方向（上下方向）に隣接して配置されている。これにより、前記自由端側ループ部１２は、前記基端側ループ部１１より肌当接面側に突出し、生理用ナプキン１の装着時に肌との接触面を構成するようになり、立体ギャザー１０の肌側への突出高さを高くでき、着用者の鼠蹊部へのフィット性が向上できる。生理用ナプキン１の装着時には、前記自由端側ループ部１２のみが肌と接触し、前記基端側ループ部１１は、肌と接触せず、専ら、自由端側ループ部１２を非肌側から肌側へ押し上げる役割を担っている。
【００４７】
前記立体ギャザー１０の起立高さ（透液性表面シート３の肌側面から生理用ナプキン１の厚み方向に突出する高さ）は、３０〜５０ｍｍ、好ましくは３５〜４０ｍｍとするのがよい。これは、従来の断面中空のループ状立体ギャザーの起立高さに対して約２倍の高さとなる。
【００４８】
前記自由端側ループ部１２は、前記基端側ループ部１１に対して、幅方向外側に若干偏倚した位置に接合するのが好ましい。これにより、立体ギャザーの起立方向が肌側に向けて幅方向外側に傾斜するようになり、自由端側ループ部１２が着用者の鼠蹊部にフィットしやすくなるとともに、立体ギャザー１０が肌側に向けて拡開するように形成されるため、身体を伝って幅方向外側に向けて流れる体液の流れを立体ギャザー１０によって塞き止めやすくなる。前記立体ギャザー１０の傾斜角αは、図４に示されるように、基端側ループ部１１の中心部及び自由端側ループ部１２の中心部を通る立体ギャザー１０の中心線Ｌと、生理用ナプキン１の厚み方向線Ｎ（透液性表面シート３の表面に対する垂線）との成す角αが、１０〜３０°であるのが好ましい。なお、前記接合部１６は、前記立体ギャザー１０の中心線Ｌを通る位置に形成されている。
【００４９】
前記基端側ループ部１１と自由端側ループ部１２との間には、立体ギャザー１０のナプキン中央側の外形線が括れた括れ部１７が形成されている。前記括れ部１７は、それぞれ断面略円形に形成された基端側ループ部１１と自由端側ループ部１２との接続部分に形成された谷間部分であり、立体ギャザー１０が延びる方向に沿って連続して形成されている。前記括れ部１７の底部には前記接合部１６が設けられることによって、基端側ループ部１１と自由端側ループ部１２とが接合され、この部分からの体液の漏れが防止できるようになる。本立体ギャザー１０では、前記括れ部１７が形成されているため、この括れ部１７にドロッとした塊状の経血などが入り込むことによって立体ギャザー１０より幅方向外側への体液の流れが塞き止められ、体液の横漏れがより確実に防止できるようになっている。
【００５０】
前記基端側ループ部１１の幅Ａ及び自由端側ループ部１２の幅Ｂはそれぞれ、１５〜２５ｍｍ、好ましくは１７〜２０ｍｍとするのがよい。前記幅Ａ及びＢは、同じ寸法で形成してもよいし、異なる寸法で形成してもよい。異なる寸法で形成する場合には、基端側ループ部１１の幅Ａを相対的に大きくして立体ギャザー１０の安定性を高めるようにしてもよいし、自由端側ループ部１２の幅Ｂを相対的に大きくして肌面との接触面積を増加させ更に漏れ防止を図るようにしてもよい。
【００５１】
なお、図２及び図３に示される例では、サイド不織布７，８の外方側端縁はそれぞれ、生理用ナプキン１の側端縁まで延びているが、少なくとも一方側のサイド不織布が生理用ナプキン１の側端縁まで延在していればよく、他方側のサイド不織布は幅方向の中間位置までとし、生理用ナプキン１の側端縁まで延在させなくてもよい。
【００５２】
本第１形態例において、前記基端側ループ部１１及び自由端側ループ部１２は、それぞれ別体のサイド不織布７，８によって構成されている。これによって、前記接合部１６の位置を調整することで、基端側ループ部１１に対する自由端側ループ部１２の接合位置を任意に設定することができる。また、前記サイド不織布７，８として、親水性や撥水性などの同じ性質を備えたものを用いてもよいし、異なる性質を備えたものを用いてもよい。異なる性質を備えたものとしては、例えば、基端側ループ部１１を親水性とし、自由端側ループ部１２を撥水性とすることによって、自由端側ループ部１２で塞き止めた体液を基端側ループ部１１を通じて吸収体４側に素早く拡散させることができるようになるし、これとは逆に、基端側ループ部１１を撥水性とし、自由端側ループ部１２を親水性とすることによって、自由端側ループ部１２で身体を伝う体液を立体ギャザー１０に素早く吸収しつつ、基端側ループ部１１で生理用ナプキン１の表面を幅方向外側に向けて流れる体液が立体ギャザー１０に吸収されて肌側に拡散するのが防止できるようになる。
【００５３】
前記糸状弾性伸縮部材１３、１４としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の発泡体やフィルムなど種々のものを用いることができる。
【００５４】
前記糸状弾性伸縮部材１３、１４としては、太さは、３００〜１０００dtexが好ましく、４００〜５５０dtexがより好ましい。固定時の伸長率は１４０〜３５０％が好ましく、２００〜３００％がより好ましい。なお、前記「伸長率」は自然長を１００％としたときの値を意味する。
【００５５】
前記基端側ループ部１１に配置される糸状弾性伸縮部材１３と、前記自由端側ループ部１２に配置される糸状弾性伸縮部材１４とは、同じ収縮力でもよいし、異なる収縮力であってもよい。異なる収縮力とした場合、自由端側ループ部１２に配置される糸状弾性伸縮部材１４の方が、基端側ループ部１１に配置される糸状弾性伸縮部材１３より大きな収縮力を有するのが好ましい。これにより、自由端側ループ部１２がより強い力で肌側に起立するようになり、肌との密着性を高めることができる。
【００５６】
前記糸状弾性伸縮部材１３、１４はそれぞれ、基端側ループ部１１及び自由端側ループ部１２の断面を、生理用ナプキン１の厚み方向に対して肌側と非肌側との２つに分割したとき、肌側半分の領域に配置するのが好ましい。これにより、基端側ループ部１１及び自由端側ループ部１２が断面中空のループ状に起立しやすくなる。
【００５７】
＜第２形態例＞
次いで、第２形態例に係る生理用ナプキン１Ａについて、図５に基づいて説明する。第２形態例に係る生理用ナプキン１Ａでは、上記第１形態例と比較して、立体ギャザー１０Ａの形態が異なっている。
【００５８】
第２形態例に係る立体ギャザー１０Ａは、基端側ループ部１１と自由端側ループ部１２とは、生理用ナプキン１の幅方向に隣接して配置されている。すなわち、自由端側ループ部１２が、基端側ループ部１１の幅方向外側に隣接して設けられ、生理用ナプキン１の装着時には、前記自由端側ループ部１２及び基端側ループ部１１が両方とも肌との接触面を構成している。ただし、自由端側ループ部１２は、基端側ループ部１１のみに接合され、透液性表面シート３には接合されていないため、自由端側ループ部１２の方が基端側ループ部１１より若干肌側に突出しており、これにより、立体ギャザー１０Ａ全体としては基端側ループ部１１の幅方向外側の斜め上方に自由端側ループ部１２が傾斜して配置されるようになる。
【００５９】
これによって、第２形態例に係る立体ギャザー１０Ａでは、幅方向に対して基端側ループ部１１（内側）と自由端側ループ部１２（外側）の２段のループ状立体ギャザーによって体液が塞き止められるため、横漏れが確実に防止できるようになる。特に、幅方向外側の自由端側ループ部１２は、透液性表面シート３に接合されずに、基端側ループ部１１のみに接合されているため、肌側への可動範囲が大きくなり、肌面に確実にフィットできるようになる。また、基端側ループ部１１と自由端側ループ部１２とが幅方向外側に向けて肌側に傾斜して配置されることにより、生理用ナプキン１Ａの装着時に股間部の形状に沿いやすくなる。
【００６０】
第２形態例に係る立体ギャザー１０Ａでは、立体ギャザー１０Ａの傾斜角α（図４参照。）は、基端側ループ部１１の中心部及び自由端側ループ部１２の中心部を通る立体ギャザー１０の中心線Ｌと、生理用ナプキン１Ａの厚み方向線Ｎとの成す角αが、１０〜３０°であるのが好ましい。
【００６１】
本第２形態例に係る立体ギャザー１０Ａでは、基端側ループ部１１と自由端側ループ部１２との間に形成される括れ部１７は、前記立体ギャザー１０Ａの肌側の外形線が括れた部分によって形成されている。
【００６２】
＜第３形態例＞
上記第１形態例及び第２形態例に係る生理用ナプキン１、１Ａでは、基端側ループ部１１と自由端側ループ部１２とをそれぞれ別体のサイド不織布７，８で構成していたが、第３形態例に係る生理用ナプキン１Ｂでは、図６に示されるように、これら基端側ループ部１１及び自由端側ループ部１２を連続する１枚のサイド不織布７Ｂによって構成している点で相違する。
【００６３】
図７に基づいて詳細に説明すると、図７は、第３形態例に係る立体ギャザー１０Ｂを吸収体４側に折り畳んだ状態の断面図である。前記立体ギャザー１０Ｂは、生理用ナプキン１の側方側から中心側方向に延在したサイド不織布７Ｂが二重に折り返されるとともに、この二重シート内部の適宜の位置に両端または長手方向の適宜の位置が固定された複数本の糸状弾性伸縮部材１３、１３…が配設され、かつ前記二重シートが生理用ナプキン１の中心側位置で非肌側の側方側方向に折り返される第１折り返し部２０と、この第１折り返し部２０に連続して側方側位置で非肌側の中心側方向に折り返される第２折り返し部２１と、この第２折り返し部２１に連続して中心側位置で非肌側の側方側方向にに折り返される第３折り返し部２２とによって四つ折りとされ、上層側から順に第１二重シート部２３、第２二重シート部２４、第３二重シート部２５、第４二重シート部２６を有し、前記第２折り返し部の近傍において、前記第１二重シート部２３と第２二重シート部２４とが接合される接合部２７が形成されるとともに、前記第３二重シート部２５と第４二重シート部２６とが接合される接合部２８が形成され、かつ前記第２二重シート部２４と第３二重シート部２５とが接合される接合部２９が形成されることにより、起立状態で、図６に示されるように、基端側ループ部１１と自由端側ループ部１２とを有する２段式のループ状立体ギャザーが形成されるようになる。なお、上記形態例では二重シートを非肌側に折り返して四つ折りとしていたが、肌側に折り返すことによって四つ折りとしてもよい。また、前記第２二重シート部２４と第３二重シート部２５との接合部は、基端側ループ部１１と自由端側ループ部１２との接合部１６を構成する。
【００６４】
また、図６及び図７に示されるように、第１折り返し部２０と第３折り返し部２２の位置をほぼ同じにすることで、基端側ループ部１１と自由端側ループ部１２とが上下方向に重なる立体ギャザー１０Ｂが形成されるようになる。また、第３折り返し部２２の位置を第１折り返し部２０より中心側にすることで、基端側ループ部１１と自由端側ループ部１２とが幅方向に連なる立体ギャザー１０Ｂが形成されるようになる。
【００６５】
このように、基端側ループ部１１及び自由端側ループ部１２を、１枚の不織布で構成することによって、部品点数を少なくでき、製造コストを抑えることができるとともに、基端側ループ部１１に隣接して自由端側ループ部１２を形成しやすくなる。
【符号の説明】
【００６６】
１…生理用ナプキン、２…不透液性裏面シート、３…透液性表面シート、４…吸収体、５…被包シート、６…中高部、７・８…サイド不織布、９…エンボス溝、１０…立体ギャザー、１１…基端側ループ部、１２…自由端側ループ部、１３・１４…糸状弾性伸縮部材、１５・１６…接合部、１７…括れ部
【図１】
2019024843.tif 000003
【図２】
2019024843.tif 000004
【図３】
2019024843.tif 000005
【図４】
2019024843.tif 000006
【図５】
2019024843.tif 000007
【図６】
2019024843.tif 000008
【図７】
2019024843.tif 000009
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空のループ状に形成された基端側ループ部と、前記基端側ループ部に接合され、断面が中空のループ状に形成された自由端側ループ部とを備え、
前記基端側ループ部と自由端側ループ部とは、吸収性物品の厚み方向に隣接して配置されるとともに、前記自由端側ループ部は前記基端側ループ部に対して、幅方向外側に偏移した位置に接合され、前記基端側ループ部の中心部及び自由端側ループ部の中心部を通る立体ギャザーの中心線Ｌと、吸収性物品の厚み方向線Ｎとの成す角αが１０〜３０°であることを特徴とする吸収性物品。
【請求項２】
前記基端側ループ部と自由端側ループ部との間に、前記立体ギャザーの吸収性物品中央側の外形線又は肌側の外形線が括れた括れ部が形成されている請求項１記載の吸収性物品。
【請求項３】
前記基端側ループ部及び自由端側ループ部は、それぞれ別体の不織布によって構成されている請求項１、２いずれかに記載の吸収性物品。
【請求項４】
前記基端側ループ部及び自由端側ループ部は、１枚の不織布によって構成されている請求項１、２いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、主には生理用ナプキン、おりものシート、失禁パッド、トイレタリー等に使用される吸収性物品であって、詳しくは肌当接面側の両側部にそれぞれ長手方向に沿って断面が中空のループ状立体ギャザーが形成された吸収性物品に関する。
【背景技術】
【０００２】
従来より、上記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在するとともに、肌当接面側の両側部にそれぞれ長手方向に沿って配設されたギャザー不織布により、肌側に突出する左右一対の立体ギャザーを形成したものが知られている。
【０００３】
就寝時などにおける使用に適した夜用の生理用ナプキンでは、漏れを防止するため、前記立体ギャザーが種々の形態で形成されている。例えば、肌側への起立高さを高くするため、断面Ｚ状やΣ状の２つ折りまたは３つ折りに折り畳んで形成したものがある。しかし、折り数を増やして高さを高くすればするほど、装着時に立体ギャザーが倒れ込みやすく、倒れた部分から体液が漏れやすいとともに、倒れたギャザー部分が違和感の原因となっていた。
【０００４】
また、装着時の違和感を軽減し、クッション性を持たせることなどを目的として、立体ギャザーの断面を中空のループ状に形成したものも開発されている（下記特許文献１、２など）。
【先行技術文献】
【特許文献】
【０００５】
【特許文献１】特開２０１０−１１０５３２号公報
【特許文献２】特開２０１１−３０８０１号公報
【発明の概要】
【発明が解決しようとする課題】
【０００６】
しかしながら、断面が中空のループ状の立体ギャザーでは、高さを高くとることができないため、肌面との密着性が低下し、漏れが生じやすい。
【０００７】
また、ループ状の立体ギャザーは、肌当接面が平面状に形成された２つ折りまたは３つ折りのものに比べて、肌面との接触面積が小さく、この点においても漏れが生じやすい構造であった。
【０００８】
そこで本発明の主たる課題は、断面が中空のループ状の立体ギャザーを備えた吸収性物品において、立体ギャザーの装着感及びクッション感を損なうことなく、体液の漏れを防止した吸収性物品を提供することにある。
【課題を解決するための手段】
【０００９】
上記課題を解決するために請求項１に係る本発明として、透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空のループ状に形成された基端側ループ部と、前記基端側ループ部に接合され、断面が中空のループ状に形成された自由端側ループ部とを備え、
前記基端側ループ部と自由端側ループ部とは、吸収性物品の厚み方向に隣接して配置されるとともに、前記自由端側ループ部は前記基端側ループ部に対して、幅方向外側に偏移した位置に接合され、前記基端側ループ部の中心部及び自由端側ループ部の中心部を通る立体ギャザーの中心線Ｌと、吸収性物品の厚み方向線Ｎとの成す角αが１０〜３０°であることを特徴とする吸収性物品が提供される。
【００１０】
上記請求項１記載の発明では、前記基端側ループ部と自由端側ループ部とからなる２段式のループ状立体ギャザーを備えているため、前記基端側ループ部が自由端側ループ部を押し上げるように作用し、立体ギャザーに高さを持たせることができるようになり、ループ状立体ギャザー特有の装着感及びクッション感を損なうことなく、体液の漏れが防止できるようになる。
【００１１】
前記基端側ループ部と自由端側ループ部とは、吸収性物品の厚み方向に隣接して配置されている。これによって、吸収性物品の装着時には、主に前記自由端側ループ部が肌との接触面を構成するようになる。このため、立体ギャザーの肌側への突出高さを高くすることができ、着用者の鼠蹊部へのフィット性が向上できる。
【００１２】
前記自由端側ループ部は、前記基端側ループ部に対して、幅方向外側に偏倚した位置に接合され、前記基端側ループ部の中心部及び自由端側ループ部の中心部を通る立体ギャザーの中心線Ｌと、厚み方向線Ｎ（透液性表面シートの表面に対する垂線）との成す角αが１０〜３０°であるのが好ましい。これにより、立体ギャザーの起立方向が肌側に向けて幅方向外側に傾斜するようになり、自由端側ループ部が着用者の鼠蹊部にフィットしやすくなるとともに、立体ギャザーが肌側に向けて拡開するように形成されるため、身体を伝って幅方向外側に向けて流れる体液の流れを立体ギャザーによって塞き止めやすくなる。
【００１３】
請求項２に係る本発明として、前記基端側ループ部と自由端側ループ部との間に、前記立体ギャザーの吸収性物品中央側の外形線又は肌側の外形線が括れた括れ部が形成されている請求項１記載の吸収性物品が提供される。
【００１４】
上記請求項２記載の発明では、前記基端側ループ部と自由端側ループ部との間に、前記立体ギャザーの吸収性物品中央側の外形線又は肌側の外形線が括れた括れ部が形成されているため、この括れ部が幅方向中央側から流れてきたドロッとした塊状の経血などの体液が入り込むポケットとして作用することによって、立体ギャザーより外側に体液が流れるのを塞き止めることができ、体液の横漏れがより確実に防止できるようになる。なお、上記第１の実施形態例に係る基端側ループ部と自由端側ループ部とが吸収性物品の厚み方向に隣接して配置された立体ギャザーでは、前記立体ギャザーの吸収性物品中央側の外形線が括れた括れ部が形成され、上記第２の実施形態例に係る基端側ループ部と自由端側ループ部とが吸収性物品の幅方向に隣接して配置された立体ギャザーでは、前記立体ギャザーの肌側の外形線が括れた括れ部が形成されている。
【００１５】
請求項３に係る本発明として、前記基端側ループ部及び自由端側ループ部は、それぞれ別体の不織布によって構成されている請求項１、２いずれかに記載の吸収性物品が提供される。
【００１６】
上記請求項３記載の発明では、前記基端側ループ部及び自由端側ループ部を、それぞれ別体の不織布で構成することによって、基端側ループ部に対する自由端側ループ部の接合位置を任意に設定することができるとともに、異なる性質の不織布を用いることによって基端側ループ部と自由端側ループ部とで異なる機能を付加することが可能となる。
【００１７】
請求項４に係る本発明として、前記基端側ループ部及び自由端側ループ部は、１枚の不織布によって構成されている請求項１、２いずれかに記載の吸収性物品が提供される。
【００１８】
上記請求項４記載の発明では、前記基端側ループ部及び自由端側ループ部を、１枚の不織布で構成することによって、部品点数を少なくでき、製造コストを抑えることができるとともに、基端側ループ部に隣接して自由端側ループ部を形成しやすくなる。
【発明の効果】
【００１９】
以上詳説のとおり本発明によれば、断面が中空のループ状の立体ギャザーを備えた吸収性物品において、立体ギャザーの装着感及びクッション感を損なうことなく、体液の漏れが防止できるようになる。
【図面の簡単な説明】
【００２０】
【図１】本発明に係る生理用ナプキン１の一部破断展開図である。
【図２】図１のII−II線矢視図である。
【図３】図１のIII−III線矢視図である。
【図４】立体ギャザー１０の拡大断面図である。
【図５】第２形態例に係る生理用ナプキン１の横断面図（図１のII−II線に対応する位置の横断面図）である。
【図６】第３形態例に係る生理用ナプキン１の横断面図（図１のII−II線に対応する位置の横断面図）である。
【図７】第３形態例に係る立体ギャザー１０Ｂを折り畳んだ状態の拡大断面図である。
【発明を実施するための形態】
【００２１】
以下、本発明の実施の形態について図面を参照しながら詳述する。
【００２２】
＜第１形態例＞
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７、８とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７、８とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２３】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２４】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２５】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜６５０ｇ／ｍ２、好ましくは３００〜４００ｇ／ｍ２とするのがよい。
【００２６】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２７】
前記吸収体４の肌側面には、肌側に増厚された吸収体の中高部６を形成するのが好ましい。前記吸収体４及び中高部６は、それぞれ別個に製造した後、組立工程で積層してもよいし、吸収体を立体的に積繊することによって一体的に形成してもよい。また、吸収体４の上段に中高部６を積繊する二段積繊構造としてもよい。
【００２８】
前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５ｍｍ、好ましくは５〜１８ｍｍとするのがよい。また、前記中高部６が配置された部分の中高部６と吸収体４との合計目付は、４００〜９００ｇ／ｍ２、特に６００〜８００ｇ／ｍ２とするのがよい。
【００２９】
前記中高部６は、着用者の体液排出部Ｈを含む領域、具体的には体液排出部Ｈより前側及び後側に若干長い領域に形成されている。前記中高部６は、ナプキン前後方向に長い縦長に形成され、両側縁がナプキン長手方向に延びる直線で形成されている。
【００３０】
前記中高部６は、少なくともパルプ繊維と合成繊維とを含むとともに、前記パルプ繊維：合成繊維の比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３１】
前記中高部６としては、着用者の体液排出部Ｈを含む領域から臀部溝を含む領域にかけて設けられた細長状のものを用いることができる。
【００３２】
また、少なくとも体液排出部Ｈに対応する領域の両側に、生理用ナプキン１の長手方向に沿って、透液性表面シート３の肌当接面側からの圧搾により、透液性表面シート３から吸収体４にかけて一体的に窪ませたエンボス溝９を任意のパターンで形成することができる。
【００３３】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別の２層に積層されたサイド不織布７、８、具体的には経血やおりもの等が浸透するのを防止する、あるいは肌触り感を高めるなどの目的に応じて、適宜の撥水処理または親水処理を施した不織布素材を用いて構成されたサイド不織布７、８が配設されている。かかるサイド不織布７、８としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３４】
前記サイド不織布７、８は、図２及び図３に示されるように、幅方向中間部より外側部分を所定の内側位置から不透液性裏面シート２の外縁までの範囲に亘ってホットメルトなどの接着剤によって接着し、これら前記サイド不織布７、８と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３５】
一方、前記サイド不織布７、８の内方側部分によって、前記透液性表面シート３の肌当接面側の両側部にそれぞれ、長手方向に沿って肌側に突出する立体ギャザー１０が左右対で形成されている。
【００３６】
〔立体ギャザー１０〕
以下、前記立体ギャザー１０について詳細に説明する。前記立体ギャザー１０は、図２及び図４に示されるように、前記透液性表面シート３の肌当接面に接合され、断面が中空のループ状に形成された基端側ループ部１１と、前記基端側ループ部１１に接合され、断面が中空のループ状に形成された自由端側ループ部１２とを備えている。
【００３７】
前記基端側ループ部１１は、透液性表面シート３から肌側に突出する立体ギャザー１０の基端側部分を構成するものであり、２層に積層されたサイド不織布７，８のうち、下層側のサイド不織布７の内方側部分が二重に折り返されるとともに、この二重シート内部の適宜の位置に両端または長手方向の適宜の位置が固定された１又は複数本の、図示例では４本の糸状弾性伸縮部材１３、１３…が配設され、かつ前記二重シート部分が非肌側方向に１回巻回され、この巻回された端部が内面に接合されることにより、断面が中空の略円形からなるループ状に形成されている。このループ部は、生理用ナプキン１の前後端部では、図３に示されるように、２つ折りまたは３つ折りに折り畳まれた状態で吸収体４側に接着されている。これによって、前記糸状弾性伸縮部材１３…の収縮力により、生理用ナプキン１の長手方向中間部における所定の区間において、内部が中空のループ状に起立している。
【００３８】
前記自由端側ループ部１２は、肌側に突出する立体ギャザー１０の自由端側部分を構成するものであり、上記基端側ループ部１１と同様に、２層に積層されたサイド不織布７，８のうち、上層側のサイド不織布８の内方側部分が二重に折り返されるとともに、この二重シート内部の適宜の位置に両端または長手方向の適宜の位置が固定された１又は複数本の、図示例では４本の糸状弾性伸縮部材１４、１４…が配設され、かつ前記二重シート部分が肌側方向に１回巻回され、この巻回された二重シート端部が内面側に接合されることにより、断面が中空の略円形からなるループ状に形成されている。このループ部は、生理用ナプキン１の前後端部では、図３に示されるように、２つ折りまたは３つ折りに折り畳まれた状態で吸収体４側に接着されている。これによって、前記糸状弾性伸縮部材１４…の収縮力により、生理用ナプキン１の長手方向中間部における所定の区間において、内部が中空のループ状に起立している。
【００３９】
前記立体ギャザー１０が基端側ループ部１１と自由端側ループ部１２とからなる２段式のループ状立体ギャザーで構成されることによって、基端側ループ部１１が自由端側ループ部１２を非肌側から肌側に押し上げるように作用し、立体ギャザー１０に高さを持たせることができようになる。このため、ループ状立体ギャザー特有の装着感及びクッション感を損なうことなく、体液の漏れが防止できるようになる。
【００４０】
前記基端側ループ部１１は、接合部１５によって前記透液性表面シート３の肌当接面（外面）に接合されている。前記接合部１５は、前記立体ギャザー１０が肌側に突出する生理用ナプキン１の長手方向の区間において、生理用ナプキン１の長手方向に沿って所定幅を有する直線的な帯状又は線状に形成されている。前記接合部１５の幅Ｃは、基端側ループ部１１の幅Ａに対する割合Ｃ／Ａが１０〜５０％、特に１５〜３０％であるのが好ましい。前記接合部１５の幅Ｃが大き過ぎると、基端側ループ部１１の肌側への突出高さが小さくなるとともに、基端側ループ部１１のクッション性が低下する。一方、前記接合部１５の幅Ｃが小さすぎると、基端側ループ部１１が不安定となり、幅方向に倒れやすくなる。
【００４１】
前記基端側ループ部１１は、図２に示されるように、前記透液性表面シート３と不透液性裏面シート２との間に吸収体４が介在する本体部分の肌当接面側に配置するのが好ましい。これにより、立体ギャザー１０の肌側への突出高さが高くなり、立体ギャザー１０の先端と肌との密着性が向上できる。また、図示しないが、前記立体ギャザー１０は、前記本体部分より幅方向外側の透液性表面シート３の肌当接面側に配置してもよい。この場合、吸収体４の厚み分だけ肌側への突出高さは低くなるが、吸収体４が体液を吸収できる面積を広くとることができ、吸収体４を有効活用できるようになる。
【００４２】
前記自由端側ループ部１２は、接合部１６によって基端側ループ部１１に接合されている。前記接合部１６は、前記立体ギャザー１０が肌側に突出する生理用ナプキン１の長手方向の区間において、生理用ナプキン１の長手方向に沿う所定幅を有する直線的な帯状又は線状に形成されている。前記接合部１６の幅Ｄは、自由端側ループ部１２の幅Ｂに対する割合Ｄ／Ｂが１０〜５０％、特に１５〜３０％であるのが好ましい。前記接合部１６の幅Ｄが大き過ぎると、後段で詳述する基端側ループ部１１と自由端側ループ部１２との間に形成される括れ部１７の深さが小さくなり、その効果が十分に発揮できなくなる。また、前記接合部１６の幅Ｄが小さすぎると、自由端側ループ部１２が不安定となり、幅方向に倒れやすくなる。
【００４３】
前記接合部１６は、前記基端側ループ部１１を構成するサイド不織布７が二重に折り返された二重シート部と、前記自由端側ループ部１２を構成するサイド不織布８が二重に折り返された二重シート部とが対向する位置に形成するのがよい。より好ましくは、前記基端側ループ部１１を構成するサイド不織布７の二重シート部と、前記自由端側ループ部１２を構成するサイド不織布８の二重シート部とがそれぞれ１回巻回されて二重シート端部が内面に接合された接合部同士が対向する位置に形成するのが好ましい。これにより、基端側ループ部１１と自由端側ループ部１２との間で反発性が高まり、立体ギャザー１０全体としてのクッション性が向上できる。
【００４４】
本第１形態例に係る立体ギャザー１０において、前記基端側ループ部１１と自由端側ループ部１２とは、生理用ナプキン１の厚み方向（上下方向）に隣接して配置されている。これにより、前記自由端側ループ部１２は、前記基端側ループ部１１より肌当接面側に突出し、生理用ナプキン１の装着時に肌との接触面を構成するようになり、立体ギャザー１０の肌側への突出高さを高くでき、着用者の鼠蹊部へのフィット性が向上できる。生理用ナプキン１の装着時には、前記自由端側ループ部１２のみが肌と接触し、前記基端側ループ部１１は、肌と接触せず、専ら、自由端側ループ部１２を非肌側から肌側へ押し上げる役割を担っている。
【００４５】
前記立体ギャザー１０の起立高さ（透液性表面シート３の肌側面から生理用ナプキン１の厚み方向に突出する高さ）は、３０〜５０ｍｍ、好ましくは３５〜４０ｍｍとするのがよい。これは、従来の断面中空のループ状立体ギャザーの起立高さに対して約２倍の高さとなる。
【００４６】
前記自由端側ループ部１２は、前記基端側ループ部１１に対して、幅方向外側に若干偏倚した位置に接合するのが好ましい。これにより、立体ギャザーの起立方向が肌側に向けて幅方向外側に傾斜するようになり、自由端側ループ部１２が着用者の鼠蹊部にフィットしやすくなるとともに、立体ギャザー１０が肌側に向けて拡開するように形成されるため、身体を伝って幅方向外側に向けて流れる体液の流れを立体ギャザー１０によって塞き止めやすくなる。前記立体ギャザー１０の傾斜角αは、図４に示されるように、基端側ループ部１１の中心部及び自由端側ループ部１２の中心部を通る立体ギャザー１０の中心線Ｌと、生理用ナプキン１の厚み方向線Ｎ（透液性表面シート３の表面に対する垂線）との成す角αが、１０〜３０°であるのが好ましい。なお、前記接合部１６は、前記立体ギャザー１０の中心線Ｌを通る位置に形成されている。
【００４７】
前記基端側ループ部１１と自由端側ループ部１２との間には、立体ギャザー１０のナプキン中央側の外形線が括れた括れ部１７が形成されている。前記括れ部１７は、それぞれ断面略円形に形成された基端側ループ部１１と自由端側ループ部１２との接続部分に形成された谷間部分であり、立体ギャザー１０が延びる方向に沿って連続して形成されている。前記括れ部１７の底部には前記接合部１６が設けられることによって、基端側ループ部１１と自由端側ループ部１２とが接合され、この部分からの体液の漏れが防止できるようになる。本立体ギャザー１０では、前記括れ部１７が形成されているため、この括れ部１７にドロッとした塊状の経血などが入り込むことによって立体ギャザー１０より幅方向外側への体液の流れが塞き止められ、体液の横漏れがより確実に防止できるようになっている。
【００４８】
前記基端側ループ部１１の幅Ａ及び自由端側ループ部１２の幅Ｂはそれぞれ、１５〜２５ｍｍ、好ましくは１７〜２０ｍｍとするのがよい。前記幅Ａ及びＢは、同じ寸法で形成してもよいし、異なる寸法で形成してもよい。異なる寸法で形成する場合には、基端側ループ部１１の幅Ａを相対的に大きくして立体ギャザー１０の安定性を高めるようにしてもよいし、自由端側ループ部１２の幅Ｂを相対的に大きくして肌面との接触面積を増加させ更に漏れ防止を図るようにしてもよい。
【００４９】
なお、図２及び図３に示される例では、サイド不織布７，８の外方側端縁はそれぞれ、生理用ナプキン１の側端縁まで延びているが、少なくとも一方側のサイド不織布が生理用ナプキン１の側端縁まで延在していればよく、他方側のサイド不織布は幅方向の中間位置までとし、生理用ナプキン１の側端縁まで延在させなくてもよい。
【００５０】
本第１形態例において、前記基端側ループ部１１及び自由端側ループ部１２は、それぞれ別体のサイド不織布７，８によって構成されている。これによって、前記接合部１６の位置を調整することで、基端側ループ部１１に対する自由端側ループ部１２の接合位置を任意に設定することができる。また、前記サイド不織布７，８として、親水性や撥水性などの同じ性質を備えたものを用いてもよいし、異なる性質を備えたものを用いてもよい。異なる性質を備えたものとしては、例えば、基端側ループ部１１を親水性とし、自由端側ループ部１２を撥水性とすることによって、自由端側ループ部１２で塞き止めた体液を基端側ループ部１１を通じて吸収体４側に素早く拡散させることができるようになるし、これとは逆に、基端側ループ部１１を撥水性とし、自由端側ループ部１２を親水性とすることによって、自由端側ループ部１２で身体を伝う体液を立体ギャザー１０に素早く吸収しつつ、基端側ループ部１１で生理用ナプキン１の表面を幅方向外側に向けて流れる体液が立体ギャザー１０に吸収されて肌側に拡散するのが防止できるようになる。
【００５１】
前記糸状弾性伸縮部材１３、１４としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の発泡体やフィルムなど種々のものを用いることができる。
【００５２】
前記糸状弾性伸縮部材１３、１４としては、太さは、３００〜１０００dtexが好ましく、４００〜５５０dtexがより好ましい。固定時の伸長率は１４０〜３５０％が好ましく、２００〜３００％がより好ましい。なお、前記「伸長率」は自然長を１００％としたときの値を意味する。
【００５３】
前記基端側ループ部１１に配置される糸状弾性伸縮部材１３と、前記自由端側ループ部１２に配置される糸状弾性伸縮部材１４とは、同じ収縮力でもよいし、異なる収縮力であってもよい。異なる収縮力とした場合、自由端側ループ部１２に配置される糸状弾性伸縮部材１４の方が、基端側ループ部１１に配置される糸状弾性伸縮部材１３より大きな収縮力を有するのが好ましい。これにより、自由端側ループ部１２がより強い力で肌側に起立するようになり、肌との密着性を高めることができる。
【００５４】
前記糸状弾性伸縮部材１３、１４はそれぞれ、基端側ループ部１１及び自由端側ループ部１２の断面を、生理用ナプキン１の厚み方向に対して肌側と非肌側との２つに分割したとき、肌側半分の領域に配置するのが好ましい。これにより、基端側ループ部１１及び自由端側ループ部１２が断面中空のループ状に起立しやすくなる。
【００５５】
＜第２形態例＞
次いで、第２形態例に係る生理用ナプキン１Ａについて、図５に基づいて説明する。第２形態例に係る生理用ナプキン１Ａでは、上記第１形態例と比較して、立体ギャザー１０Ａの形態が異なっている。
【００５６】
第２形態例に係る立体ギャザー１０Ａは、基端側ループ部１１と自由端側ループ部１２とは、生理用ナプキン１の幅方向に隣接して配置されている。すなわち、自由端側ループ部１２が、基端側ループ部１１の幅方向外側に隣接して設けられ、生理用ナプキン１の装着時には、前記自由端側ループ部１２及び基端側ループ部１１が両方とも肌との接触面を構成している。ただし、自由端側ループ部１２は、基端側ループ部１１のみに接合され、透液性表面シート３には接合されていないため、自由端側ループ部１２の方が基端側ループ部１１より若干肌側に突出しており、これにより、立体ギャザー１０Ａ全体としては基端側ループ部１１の幅方向外側の斜め上方に自由端側ループ部１２が傾斜して配置されるようになる。
【００５７】
これによって、第２形態例に係る立体ギャザー１０Ａでは、幅方向に対して基端側ループ部１１（内側）と自由端側ループ部１２（外側）の２段のループ状立体ギャザーによって体液が塞き止められるため、横漏れが確実に防止できるようになる。特に、幅方向外側の自由端側ループ部１２は、透液性表面シート３に接合されずに、基端側ループ部１１のみに接合されているため、肌側への可動範囲が大きくなり、肌面に確実にフィットできるようになる。また、基端側ループ部１１と自由端側ループ部１２とが幅方向外側に向けて肌側に傾斜して配置されることにより、生理用ナプキン１Ａの装着時に股間部の形状に沿いやすくなる。
【００５８】
本第２形態例に係る立体ギャザー１０Ａでは、基端側ループ部１１と自由端側ループ部１２との間に形成される括れ部１７は、前記立体ギャザー１０Ａの肌側の外形線が括れた部分によって形成されている。
【００５９】
＜第３形態例＞
上記第１形態例及び第２形態例に係る生理用ナプキン１、１Ａでは、基端側ループ部１１と自由端側ループ部１２とをそれぞれ別体のサイド不織布７，８で構成していたが、第３形態例に係る生理用ナプキン１Ｂでは、図６に示されるように、これら基端側ループ部１１及び自由端側ループ部１２を連続する１枚のサイド不織布７Ｂによって構成している点で相違する。
【００６０】
図７に基づいて詳細に説明すると、図７は、第３形態例に係る立体ギャザー１０Ｂを吸収体４側に折り畳んだ状態の断面図である。前記立体ギャザー１０Ｂは、生理用ナプキン１の側方側から中心側方向に延在したサイド不織布７Ｂが二重に折り返されるとともに、この二重シート内部の適宜の位置に両端または長手方向の適宜の位置が固定された複数本の糸状弾性伸縮部材１３、１３…が配設され、かつ前記二重シートが生理用ナプキン１の中心側位置で非肌側の側方側方向に折り返される第１折り返し部２０と、この第１折り返し部２０に連続して側方側位置で非肌側の中心側方向に折り返される第２折り返し部２１と、この第２折り返し部２１に連続して中心側位置で非肌側の側方側方向にに折り返される第３折り返し部２２とによって四つ折りとされ、上層側から順に第１二重シート部２３、第２二重シート部２４、第３二重シート部２５、第４二重シート部２６を有し、前記第２折り返し部の近傍において、前記第１二重シート部２３と第２二重シート部２４とが接合される接合部２７が形成されるとともに、前記第３二重シート部２５と第４二重シート部２６とが接合される接合部２８が形成され、かつ前記第２二重シート部２４と第３二重シート部２５とが接合される接合部２９が形成されることにより、起立状態で、図６に示されるように、基端側ループ部１１と自由端側ループ部１２とを有する２段式のループ状立体ギャザーが形成されるようになる。なお、上記形態例では二重シートを非肌側に折り返して四つ折りとしていたが、肌側に折り返すことによって四つ折りとしてもよい。また、前記第２二重シート部２４と第３二重シート部２５との接合部は、基端側ループ部１１と自由端側ループ部１２との接合部１６を構成する。
【００６１】
また、図６及び図７に示されるように、第１折り返し部２０と第３折り返し部２２の位置をほぼ同じにすることで、基端側ループ部１１と自由端側ループ部１２とが上下方向に重なる立体ギャザー１０Ｂが形成されるようになる。また、第３折り返し部２２の位置を第１折り返し部２０より中心側にすることで、基端側ループ部１１と自由端側ループ部１２とが幅方向に連なる立体ギャザー１０Ｂが形成されるようになる。
【００６２】
このように、基端側ループ部１１及び自由端側ループ部１２を、１枚の不織布で構成することによって、部品点数を少なくでき、製造コストを抑えることができるとともに、基端側ループ部１１に隣接して自由端側ループ部１２を形成しやすくなる。
【符号の説明】
【００６３】
１…生理用ナプキン、２…不透液性裏面シート、３…透液性表面シート、４…吸収体、５…被包シート、６…中高部、７・８…サイド不織布、９…エンボス溝、１０…立体ギャザー、１１…基端側ループ部、１２…自由端側ループ部、１３・１４…糸状弾性伸縮部材、１５・１６…接合部、１７…括れ部
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空の略円形からなるループ状に形成された基端側ループ部と、前記基端側ループ部に接合され、断面が中空の略円形からなるループ状に形成された自由端側ループ部とを備え、
前記基端側ループ部と自由端側ループ部とは、吸収性物品の厚み方向に隣接して配置されるとともに、前記自由端側ループ部は前記基端側ループ部に対して、幅方向外側に偏移した位置に接合され、前記基端側ループ部の中心部及び自由端側ループ部の中心部を通る立体ギャザーの中心線Ｌと、吸収性物品の厚み方向線Ｎとの成す角αが１０〜３０°であることを特徴とする吸収性物品。
【請求項２】
前記基端側ループ部と自由端側ループ部との間に、前記立体ギャザーの吸収性物品中央側の外形線又は肌側の外形線が括れた括れ部が形成されている請求項１記載の吸収性物品。
【請求項３】
前記基端側ループ部及び自由端側ループ部は、それぞれ別体の不織布によって構成されている請求項１、２いずれかに記載の吸収性物品。
【請求項４】
前記基端側ループ部及び自由端側ループ部は、１枚の不織布によって構成されている請求項１、２いずれかに記載の吸収性物品。
【手続補正２】
【補正対象書類名】明細書
【補正対象項目名】０００９
【補正方法】変更
【補正の内容】
【０００９】
上記課題を解決するために請求項１に係る本発明として、透液性表面シートの肌当接面側の両側部にそれぞれ、長手方向に沿って肌側に突出する立体ギャザーが形成された吸収性物品において、
前記立体ギャザーは、前記透液性表面シートの肌当接面に接合され、断面が中空の略円形からなるループ状に形成された基端側ループ部と、前記基端側ループ部に接合され、断面が中空の略円形からなるループ状に形成された自由端側ループ部とを備え、
前記基端側ループ部と自由端側ループ部とは、吸収性物品の厚み方向に隣接して配置されるとともに、前記自由端側ループ部は前記基端側ループ部に対して、幅方向外側に偏移した位置に接合され、前記基端側ループ部の中心部及び自由端側ループ部の中心部を通る立体ギャザーの中心線Ｌと、吸収性物品の厚み方向線Ｎとの成す角αが１０〜３０°であることを特徴とする吸収性物品が提供される。